(57)【要約】家庭用装置コントローラが、１つ以上のタッチ溝、１つ以上のタッチ溝の各々に、動作可能に連結されたタッチスライダー、及び１つ以上のプロセッサを備えることができる。１つ以上のプロセッサは、各々が１つ以上のタッチ溝と対話するユーザーによって行われたタッチジェスチャーに対応する信号を、各々のタッチセンサーから受信することができる。１つ以上のプロセッサは、信号に少なくとも部分的に基づいて、家庭用装置によって実行可能な制御コマンドを生成し、その制御コマンドをその家庭用装置に送信して実行させることができる。
2020509509.tif 000002
【特許請求の範囲】
【請求項１】
家庭用装置コントローラであって、
１つ以上のタッチ溝と、
前記１つ以上のタッチ溝の各々に、動作可能に連結されたタッチスライダーと、
前記家庭用装置コントローラに、
各々が、前記１つ以上のタッチ溝と対話するユーザーによって行われたタッチジェスチャーに対応する信号を、各々のタッチセンサーから受信させ、
少なくとも部分的に前記信号に基づいて、家庭用装置によって実行可能な制御コマンドを生成させ、
前記制御コマンドを前記家庭用装置に送信して実行させる、
命令を実行する１つ以上のプロセッサと、
を備えたことを特徴とするコントローラ。
【請求項２】
前記家庭用装置が、照明要素を含み、前記制御コマンドが、前記照明要素の明るさを向上又は低下させる調光レベルコマンドを含むことを特徴とする、請求項１記載の家庭用装置コントローラ。
【請求項３】
前記実行された命令が、前記家庭用装置コントローラに、前記調光レベルコマンドを、負荷線上における操作された出力波形として、前記照明要素に送信させることを特徴とする、請求項２記載の家庭用装置コントローラ。
【請求項４】
無線通信インターフェースを更に備え、
前記実行された命令が、前記家庭用装置コントローラに、前記無線通信インターフェースを介して、前記調光レベルコマンドを送信させることを特徴とする、請求項２記載の家庭用装置コントローラ。
【請求項５】
タッチスクリーンを更に備えていることを特徴とする、請求項１記載の家庭用装置コントローラ。
【請求項６】
前記実行された命令が、前記家庭用装置コントローラに、更に
前記タッチスクリーン上で行われた、ユーザージェスチャーに対応する信号を受信させ、
前記タッチスクリーン上で行われた、ユーザージェスチャーに対応する受信信号に基づいて、前記家庭用装置に対する一連の制御コマンドを生成させ、
前記一連の制御コマンドを前記家庭用装置に送信して実行させる、
ことを特徴とする、請求項５記載の家庭用装置コントローラ。
【請求項７】
前記タッチスクリーンが、スマート家庭用装置の選択可能メニューを表示することを特徴とする、請求項５記載の家庭用装置コントローラ。
【請求項８】
前記実行された命令が、前記家庭用装置コントローラに、更に
スマート家庭用装置を選択する前記タッチスクリーン上でユーザー入力を受信させ、
前記１つ以上のタッチ溝のそれぞれのタッチ溝を再構成して、前記タッチスクリーン上で選択した、前記スマート家庭用装置を制御できるようにさせる、
ことを特徴とする、請求項７記載の家庭用装置コントローラ。
【請求項９】
前記選択されたスマート家庭用装置が、温度制御システム、ファンコントローラ、窓コントローラ、又はオーディオコントローラのうちの１つを含むことを特徴とする、請求項８記載の家庭用装置コントローラ。
【請求項１０】
前記タッチスライダーが、複数の静電容量タッチセンサーを含むことを特徴とする、請求項１記載の家庭用装置コントローラ。
【請求項１１】
家庭用装置コントローラの１つ以上のプロセッサによって実行されると、前記家庭用装置コントローラに、
各々が、前記家庭用装置コントローラのタッチ溝と対話するユーザーによって行われた、タッチジェスチャーに対応する信号を、前記家庭用装置コントローラのタッチセンサーから受信させ、
少なくとも部分的に前記信号に基づいて、家庭用装置によって実行可能な制御コマンドを生成させ、
前記制御コマンドを前記家庭用装置に送信して実行させる、
命令を記憶していることを特徴とする、非一時的コンピュータ可読媒体。
【請求項１２】
前記家庭用装置が、照明要素を含み、前記制御コマンドが、前記照明要素の明るさを向上又は低下させる調光レベルコマンドを含むことを特徴とする、請求項１１記載の非一時的コンピュータ可読媒体。
【請求項１３】
前記実行された命令が、前記家庭用装置コントローラに、前記調光レベルコマンドを、負荷線上における操作された出力波形として、前記照明要素に送信させることを特徴とする、請求項１２記載の非一時的コンピュータ可読媒体。
【請求項１４】
前記家庭用装置コントローラが、無線通信インターフェースを備え、前記実行された命令が、前記家庭用装置コントローラに、前記無線通信インターフェースを介して、前記調光レベルコマンドを送信させることを特徴とする、請求項１２記載の非一時的コンピュータ可読媒体。
【請求項１５】
前記家庭用装置コントローラが、タッチスクリーンを備えていることを特徴とする、請求項１１記載の非一時的コンピュータ可読媒体。
【請求項１６】
前記実行された命令が、前記家庭用装置コントローラに、更に
前記タッチスクリーン上で行われた、ユーザージェスチャーに対応する信号を受信させ、
前記タッチスクリーン上で行われた、ユーザージェスチャーに対応する受信信号に基づいて、前記家庭用装置に対する一連の制御コマンドを生成させ、
前記一連の制御コマンドを前記家庭用装置に送信して実行させる、
ことを特徴とする、請求項１５記載の非一時的コンピュータ可読媒体。
【請求項１７】
前記タッチスクリーンが、スマート家庭用装置の選択可能メニューを表示することを特徴とする、請求項１５記載の非一時的コンピュータ可読媒体。
【請求項１８】
前記実行された命令が、前記家庭用装置コントローラに、更に
スマート家庭用装置を選択する前記タッチスクリーン上でユーザー入力を受信させ、
前記１つ以上のタッチ溝のそれぞれのタッチ溝を再構成して、前記タッチスクリーン上で選択した、前記スマート家庭用装置を制御できるようにさせる、
ことを特徴とする、請求項１７記載の非一時的コンピュータ可読媒体。
【請求項１９】
家庭用装置コントローラためのコンピュータ実装方法であって、前記方法が、１つ以上のプロセッサによって実行され、
各々が、前記家庭用装置コントローラのタッチ溝と対話するユーザーによって行われた、タッチジェスチャーに対応する信号を、前記家庭用装置コントローラのタッチセンサーから受信するステップと、
少なくとも部分的に前記信号に基づいて、家庭用装置によって実行可能な制御コマンドを生成するステップと、
前記制御コマンドを前記家庭用装置に送信して実行するステップと、
を含むことを特徴とする方法。
【請求項２０】
前記家庭用装置コントローラが、スマート家庭用装置の選択可能メニューを表示するタッチスクリーンを備え、
スマート家庭用装置を選択する前記タッチスクリーン上でユーザー入力を受信するステップと、
前記１つ以上のタッチ溝のそれぞれのタッチ溝を再構成して、前記タッチスクリーン上で選択した、前記スマート家庭用装置を制御できるようにするステップと、
を更に含むことを特徴とする、請求項１９記載の方法。
【発明の詳細な説明】
【関連技術の相互参照】
【０００１】
本願は、「Ｈｏｍｅ Ｃｏｎｔｒｏｌ ｗｉｔｈ Ｃａｐａｃｉｔｉｖｅ Ｔｏｕｃｈ Ｇｒｏｏｖｅｓ」と題する、２０１７年１月３日出願の米国特許出願第６２／４４１，８７１号、及び米国特許第１５／８６１，６５５号の優先権の利益を主張するものであり、いずれの出願も参照によりその全体が本明細書に組み込まれるものである。
【技術分野】
【０００２】
本願はタッチ制御溝を備えた家庭用装置コントローラに関するものである。
【背景技術】
【０００３】
照明器具に使用される照明制御システム等のホームコントロールシステムは、バイナリアナログスイッチ及びアナログ調光スイッチを含み、ユーザーは、かかるスイッチが接続された電気ボックスに配線されている１つ以上の電灯を制御することができる。これ等のスイッチの制御は煩雑及び／又は魅力的ではないため、これ等を制御する改善された手段を得ることは有用である。
【発明の概要】
【０００４】
本明細書記載の照明制御システムの例は、プロセス、装置、システム、組成物、コンピュータ可読記憶媒体等のコンピュータ可読媒体、又はプログラム命令が、１つ以上の通信リンクを介して送られるコンピュータネットワークを含む、多くの方法で実現することができる。本明細書において、これ等の実施形態、又は実施形態の例が取り得る任意の形態を技法と呼ぶことができる。概して、開示したプロセスのステップの順序は、本明細書に記載の実施形態の範囲において変更することができる。
【０００５】
１つ以上の実施形態の詳細を以下に説明する。本明細書に記載の実施形態は、多くの代替実施形態、改良実施形態、及び均等物を包含することができる。記載の実施形態の完全な理解を得るために、多くの具体的詳細が以下の説明に記載されている。
【０００６】
数ある利点の中でも、本明細書に記載の例は、電灯スイッチ用の既存の住宅ギャングボックス配線を利用して、多くの家庭用装置に（無線及び／又は有線で）相互接続するスマート家庭用照明制御パネルを提供し、その照明制御パネルを介して、家庭用装置が制御される技術的効果を達成する。本明細書に記載の例は、アナログの電灯スイッチを１つ以上のタッチ溝を備えたデジタルタッチパネル及び／又は家庭におけるユーザーの経験による技能向上をもたらすタッチスクリーンに置換する。
【０００７】
本明細書において、家庭用装置コントローラは、コンピューティング装置を備え、１つ以上ネットワークを介して、照明コントローラのシステムと通信するためのネットワーク接続及び処理リソースを提供することができる。家庭用装置コントローラは、カスタムハードウェア、車載装置、又はオンボードコンピュータ等に対応することもできる。コンピューティング装置は、家庭用装置のネットワークと通信するように構成された、指定アプリケーションを動作させることもできる。
【０００８】
本明細書に記載の１つ以上の例は、コンピューティング装置が実行する方法、技法、及び行為をプログラム的に又はコンピュータ実装方法として実行することを可能にする。本明細書において、プログラム的とは、コード又はコンピュータ実行可能命令を用いることを意味する。これ等の命令は、コンピューティング装置の１つ以上のメモリリソースに記憶することができる。プログラム的に実行されるステップは、自動であってもなくてもよい。
【０００９】
本明細書に記載の１つ以上の例は、プログラムモジュール、エンジン、又はコンポーネントを用いて実現することができる。プログラムモジュール、エンジン、又はコンポーネントは、プログラム、サブルーチン、プログラムの一部、又は１つ以上の指定されたタスク若しくは機能を実行することができるソフトウェアコンポーネント又はハードウェアコンポーネントを含むことができる。本明細書において、モジュール又はコンポーネントは、別のモジュール又はコンポーネントと独立して、ハードウェアコンポーネント上に存在することができる。あるいは、モジュール又はコンポーネントは、別のモジュール、プログラム、又はマシンとの共用要素又はプロセスであってよい。
【００１０】
本明細書に記載の一部の例は、概して、処理及びメモリリソースを含むコンピュータ装置の使用を必要とし得る。例えば、本明細書に記載の１つ以上の例は、その全部又は一部をコンピュータ装置に実装することができる。メモリ、処理、及びネットワークリソースはすべて、（任意の方法の実行又は任意のシステムの実装を含む）本明細書に記載の例の確立、使用、又は実行に関連して使用することができる。
【００１１】
更に、本明細書に記載の１つ以上の例は、１つ以上のプロセッサによって実行可能な命令を使用して実現することができる。これ等の命令は、非一時的コンピュータ可読媒体に担持させることができる。以下の図に示す又は説明するマシンは、処理リソース、及び本明細書に開示の例を実現する命令を担持及び／又は実行することができるコンピュータ可読媒体の例を示している。特に、本発明の例と共に示す多数のマシンは、プロセッサ、並びにデータ及び命令を保持する様々な形態のメモリを含んでいる。非一時的コンピュータ可読媒体の例には、パーソナルコンピュータ又はサーバーのハードドライブ等の永久記憶装置が含まれる。コンピュータ記憶媒体の別の例には、ＣＤ又はＤＶＤユニット、（スマートフォン、多機能装置、タブレットコンピュータに搭載されているもの等の）フラッシュメモリ、及び磁気メモリが含まれる。コンピュータ、端末、ネットワーク対応装置（例えば、モバイル機器又はここで説明する家庭用装置コントローラ）はすべて、プロセッサ、メモリ、及びコンピュータ可読媒体に記憶することができる命令を利用する、マシン及び装置の例である。加えて、例は、コンピュータプログラム、又はかかるプログラムを担持することができる、コンピュータ利用可能担持媒体の形態で実現することができる。
【図面の簡単な説明】
【００１２】
本明細書の開示は、同様の要素には同様の参照番号を付した添付図面の図に、限定ではなく例として示されている。
【図１】様々な実施形態による、タッチ制御溝を含むタッチ制御パネルを備えた、家庭用装置コントローラの例を示す図。
【図２】様々な実施形態による、複数のタッチ制御溝及びスクリーンを含むタッチ制御パネルを備えた、家庭用装置コントローラの例を示す図。
【図３】本明細書に記載の例示的な家庭用装置コントローラを実装することができるコンピューティング装置の例を示すハードウェア図。
【図４】様々な実施形態による、家庭用装置コントローラを使用して、１つ以上の家庭用装置を制御する方法の例を示すフローチャート。
【発明を実施するための形態】
【００１３】
システムの説明
図１は、様々な実施形態による、タッチ溝制御パネル備えた家庭用装置コントローラの例を示す図である。図１に示す例は、タッチ制御パネル１０１を備えた家庭用装置コントローラ１００の前面図である。１つ以上の例によれば、家庭用装置コントローラ１００によって、ユーザーは照明の明るさを制御する機能を得ることができる。一部の実施形態において、タッチ制御パネル１０１は、デコラスイッチの大きさ（例えば、１．３１×２．６３インチ（約３．３３×約６．６８ｃｍ）とすることができ、標準のデコラ電灯スイッチのカバーに収めることができる。一部の実施形態において、家庭用装置コントローラ１００は、標準、中間、又は特大の電灯スイッチカバーの大きさとすることができる。一部の実施形態において、家庭用装置コントローラ１００の前面の層は、ナイロン、ポリカーボネート、ＡＢＳ等を含む）プラスチック等の非導電性材料の単一片であってよく、一部の実施形態では、射出成形されたものであってよい。タッチ制御パネル１０１は、以下で説明するＡＣ電子機器を含む家庭用装置コントローラ１００の構成要素であって、住宅や会社等の建物の壁に取り付けることができる。
【００１４】
制御溝１０２又はタッチ制御溝１０２は、住宅コントローラ１００のタッチ制御パネル１０１上に形成することができ、照明を調整する機能又は他の装置の機能を制御する機能を提供することができる。容量性タッチセンサー又は複数の容量性タッチセンサーの組み合わせ等のタッチセンサーが、制御溝１０２の下に配置されるか、あるいは制御溝１０２に連結される。例えば、タッチセンサーは、プリント基板（例えば、ＦＲ４等のガラス強化エポキシラミネートシート）又はカプトン等のポリイミドフィルムに埋設することができ、一部の実施形態において、これをフレックスコネクタに一体化することができる。
【００１５】
タッチセンサーは、「スライダー」構成で行うように構成することができ、その例は、すべての目的のために、参照により完全に記載されているかの如く本明細書に組み込まれる、インターネット経由でＡｔｍｅｌ社から入手できる、Ａｔｍｅｌ社文書番号ＱＴＡＮ００７９「Ｂｕｔｔｏｎｓ、 Ｓｌｉｄｅｒｓ、ａｎｄ Ｗｈｅｅｌｓ：Ｓｅｎｓｏｒ Ｄｅｓｉｇｎ Ｇｕｉｄｅ」に記載されている。詳細については、すべての目的のために、参照により完全に記載されているかの如く本明細書に組み込まれる、インターネット経由でＡｔｍｅｌ社から入手できる、Ｐａｕｌ Ｒｕｓｓｅｌの「Ａｔｍｅｌ ＱＴｏｕｃｈ Ｌａｙｏｕｔ Ｑｕｉｃｋ Ｒｅｆｅｒｅｎｃｅ」に記載されている。タッチセンサーは、すべての目的のために、参照により完全に記載されているかの如く本明細書に組み込まれる、インターネット経由でテキサスインスツルメンツ社から入手できる、テキサスインスツルメンツ社が開発したＣａｐＴＩｖａｔｅ（商標）静電容量式タッチセンサー技術であって、その例が、「Ｄｅｓｉｇｎ Ｇｕｉｄｅ」と題するセクションの「ＣａｐＴＩｖａｔｅ Ｔｅｃｈｎｏｌｏｇｙ Ｇｕｉｄｅ」に記載されているもの等、静電容量式タッチセンサーの任意の組み合わせを利用して構成することができる。一部の実施形態において、タッチセンサーは、「Ｓｌｉｄｅｒ ａｎｄ Ｗｈｅｅｌ」の章に記載されている「Ｍｕｔｕａｌ Ｃａｐａｃｉｔｉｖｅ Ｓｌｉｄｅｒ」として構成することができる。
【００１６】
特定の例において、タッチセンサーは、平面若しくは非平面、自己静電容量若しくは相互静電容量、交互嵌合Ｘ及びＹ電極、又はＦｌｏｏｄｅｄ−Ｘ静電容量式スライダー等の容量性タッチスライダー備えることができ、制御溝１０２の背後に実装することができる。タッチセンサーは、タッチコントローラに接続されている。タッチコントローラは、Ａｔｍｅｌ ＡＴＴｉｎｙ、テキサスインスツルメンツ ＭＳＰ４３０等のマイクロコントローラ、又はＳｉｌｉｃｏｎ Ｌａｂｓ ＴｏｕｃｈＸｐｒｅｓ等の専用タッチコントローラであってよい。タッチコントローラは、タッチセンサーの静電容量を分析し、デジタル又はアナログ信号を生成する。タッチコントローラからの信号は、例えば、すべての目的のために、参照により完全に記載されているかの如く本明細書に組み込まれる、Ｕｎｉｖｅｒｓａｌ Ａｓｙｎｃｈｒｏｎｏｕｓ Ｒｅｃｅｉｖｅｒ／Ｔｒａｎｓｍｉｔｔｅｒ（ＵＡＲＴ）、Ｉｎｔｅｒ−Ｉｎｔｅｇｒａｔｅｄ Ｃｉｒｃｕｉｔ（Ｉ２Ｃ、仕様はＮＸＰ Ｓｅｍｉｃｏｎｄｕｃｔｏｒｓ社からドキュメント番号ＵＭ１０２０４「Ｉ２Ｃ−ｂｕｓ ｓｐｅｃｉｆｉｃａｔｉｏｎ ａｎｄ ｕｓｅｒ ｍａｎｕａｌ」として、インターネット経由でＮＸＰから入手可能）又はシリアルペリフェラルインターフェイスバス（ＳＰＩ、詳細についてはインターネット経由で入手可能な「Ｉｎｔｒｏｄｕｃｔｉｏｎ to Ｉ２Ｃ ａｎｄ ＳＰＩ ｐｒｏｔｏｃｏｌｓ」と題する、Ｂｙｔｅ Ｐａｒａｄｉｇｍ社の記事を参照）を使用してマイクロプロセッサに送信することができる。
【００１７】
一部の実施形態において、制御溝１０２の長さは６０ｍｍ〜８０ｍｍ、水平方向の大きさは、通常の指で快適な大きさ（例えば、１０ｍｍ〜２０ｍｍの幅）とすることとができる。制御溝１０２の深さは、その場所を視覚的及び／又は触覚的に示す任意の寸法（例えば、１ｍｍ〜１０ｍｍ）であってよい。（例えば、深さが重視される）一部の実施形態において、深さは１ｍｍ〜３．５ｍｍ（例えば、約２．５ｍｍ）であってよい。
【００１８】
制御溝１０２の盆（例えば、最大深さ）における材料（例えば、プラスチック）は、制御溝１０２の背後のタッチセンサーの感度を最適化するために、比較的薄くすることができる（例えば、２．５ｍｍ〜２ｍｍ）。一部の実施形態において、タッチセンサーは、制御溝１０２を備えた家庭用装置コントローラ１００の背面部分に接合されていても、制御溝１０２に組み込まれていてもよい。一部の実施形態において、タッチセンサーは、間に空隙が殆んど又は全くないようにして（例えば、２ｍｍ未満）、タッチ制御溝１０２の背後のプリント回路基板（ＰＣＢ）（例えば、ＦＲ４ＰＣＢ）、又はカプトンフィルム上に配置することができる。一部の実施形態において、タッチセンサーを発泡体等の弾性材料に取り付けることができ、これによってタッチセンサーを制御溝１０２の背面に押し付けて、潜在的な空隙を排除することができる。
【００１９】
家庭用装置コントローラは、同じモジュールに統合することができる照明制御機能を含むことができる。例えば、家庭用装置コントローラは、一般に、デューティサイクルのある相の間、ＡＣ入力「ライン」に対し出力の一部を除去すること（例えば、ゼロクロッシングの前又は後に、波形の一部を切り取る「前縁」又は「後縁」調光器）によって、電灯に延びる「負荷」ラインのＡＣ出力波形をチョップ又は操作して電灯を暗くし、目的の調光量を示すデューティサイクルをもたらすＡＣ調光器として機能することができる。様々な実施形態において、家庭用装置コントローラ１０１は、所望のオン／オフ／調光レベル状態に関する指示を受信し、それに応じて出力を調整するマイクロコントローラ又はタッチコントローラ（例えば、Ａｔｍｅｌ ＡＴＴｉｎｙ又はＡＴＭｅｇａ等）の制御下に置くことができるＭＯＳＦＥＴ（例えば、一対のＦＥＴ及び／又はＭＯＳＦＥＴ）等の、トライアック又は電界効果トランジスタ（ＦＥＴ）を用いて、かかる調光を行うことができる。
【００２０】
一部の実施形態において、家庭用装置コントローラは、照明用として出力電圧を変化させることができるＤＣ電源（例えば、１０Ｖ、１２Ｖ、又は２４Ｖ）を使用することができる。一部の実施形態において、家庭用装置コントローラは、例えば、すべての目的のために、参照により完全に記載されているかの如く本明細書に組み込まれる、技術標準ＩＥＣ６２３８６及びＩＥＣ６０９２９に規定されている、電灯制御用のＤｉｇｉｔａｌ Ａｄｄｒｅｓｓａｂｌｅ Ｌｉｇｈｔｉｎｇ Ｉｎｔｅｒｆａｃｅ (ＤＡＬＩ)を使用することができる。一部の実施形態において、家庭用装置コントローラは、制御溝１０２におけるタッチジェスチャーに基づいて、Ｗｉ−Ｆｉ、Ｚｉｇｂｅｅ、Ｚ−Ｗａｖｅ、又はＢｌｕｅｔｏｏｔｈ（ＢＬＥを含む）等の無線ネットワークを使用して、指定されたオン／オフ／調光状態に対応する照明制御コマンドを送信することができる。
【００２１】
タッチジェスチャーは、ユーザーによって制御溝１０２において行われ、マイクロプロセッサによって解釈され、照明制御コマンドを生成することができる。特に、タップ、フリック、スライド等の一次元のタッチジェスチャーを検出することができる。マイクロプロセッサは、タッチ制御溝１０２において行われたジェスチャーに対応する信号を分析することによって、タッチジェスチャーを検知することができる。マイクロプロセッサは、タッチコントローラとマイクロプロセッサとの間の通信に使用される特定のインターフェース（例えば、前述のＵＡＲＴ、Ｉ２Ｃ、ＳＰＩ等）を介して、信号を受信することができる。（一部の実施形態において、汎用マイクロプロセッサであってよく、一部の実施形態において、マイクロコントローラであってよく、一部の実施形態において、協調して動作する１つ以上のマイクロプロセッサ及び／又はマイクロコントローラの組み合わせであってよく、一部の実施形態において、 これらの処理構成の1つ以上を組み込んだ、又は接続したタッチセンサー固有の集積回路であってよい）マイクロプロセッサにおいて、信号が解釈され、指が検知された（又は検知されなくなった）位置と時間が判定され、それに基づいて、マイクロプロセッサが、タッチ速度、加速度、タッチ圧力、及び制御溝１０２のタッチ位置を算出することができる。マイクロプロセッサは、タッチ位置、時間、速度等を組み合わせてジェスチャーを導き出し、接続されている照明装置又は他の家庭用装置に対する、制御コマンドを生成することができる。一部の実施形態において、マシンラーニング技術を適用して、例えば、複数の人々からのタッチジェスチャーのトレーニングデータと対応する分類を使用して、ジェスチャー認識モデルを生成することができる。かかるトレーニングの例は、いずれも、すべての目的のために、参照により完全に記載されているかの如く本明細書に組み込まれる、インターネットを介してＧｏｏｇｌｅ Ｒｅｓｅａｒｃｈから入手可能な、ＳＩＧＣＨＩ Ｃｏｎｆｅｒｅｎｃｅ ｏｎ Ｈｕｍａｎ Ｆａｃｔｏｒｓ ｏｎ Ｃｏｍｐｕｔｉｎｇ Ｓｙｓｔｅｍｓ ２０１２の議事録のページ２８７５〜２８８４に掲載のＨａｏ Ｌｕ及びＹａｎｇ Ｌｉによる「Ｇｅｓｔｕｒｅ Ｃｏｄｅｒ：Ａ Ｔｏｏｌ ｆｏｒ Ｐｒｏｇｒａｍｍｉｎｇ Ｍｕｌｔｉ−Ｔｏｕｃｈ Ｇｅｓｔｕｒｅｓ ｂｙ Ｄｅｍｏｎｓｔｒａｔｉｏｎ」及び２０ｔｈ Ａｎｎｕａｌ ＡＣＭ Ｓｙｍｐｏｓｉｕｍ ｏｎ Ｕｓｅｒ Ｉｎｔｅｒｆａｃｅ Ｓｏｆｔｗａｒｅ ａｎｄ Ｔｅｃｈｎｏｌｏｇｙ (２００７)の議事録に掲載のＤａｎｉｅｌ Ｗｏｏｄによる「Ｍｅｔｈｏｄｓ ｆｏｒ Ｍｕｌｔｉ−ｔｏｕｃｈ Ｇｅｓｔｕｒｅ Ｒｅｃｏｇｎｉｔｉｏｎ」に記載されている。適切なマシンラーニング技術の例には、当業者周知のステートマシンの生成、隠れマルコフモデル、サポートベクターマシン、ベイジアンネットワーク、人工ニューラルネットワーク、及び動的タイムワーピングが含まれる。
【００２２】
ユーザーが制御溝１０２において実行することができる、かかるジェスチャーの例には以下を含むことができ、以下の説明では、当業者が容易に理解できる、かかるジェスチャーを検知する方法の例も例示として記載してあり、例示的な実施形態は、最下部を０とし、タッチ溝又は領域に沿って、指が検出される場所を０〜１０００の値で示すと仮定し、この例は純粋に例示的であり、例えば、百分率で解釈可能である。
●    タップ−これは、一部の例示的な実施形態において、溝内の指の存在を検知し、続いて１０未満の変化でその不在を検知することによって実践することができる。
●    フリックアップ（速い動き）−これは、一部の例示的な実施形態において、最終接触点が最初の接触点より１０〜１００大きいと判定された、３００ｍｓ未満の間、指が接触したことを検知することによって実践することができる。
●    フリックダウン（速い動き）−これは、一部の例示的な実施形態において、最終接触点が最初の接触点より１０〜１００大きいと判定された、３００ｍｓ未満の間、指が接触したことを検知することによって実践することができる。
●    スワイプアップ（フリックより遅い）−これは、一部の例示的な実施形態において、指が、少なくとも３００ｍｓの間接触及び／又は少なくとも１００の距離を移動し、最初の接触点と比較して、経時的に大きくなる接触点を有することを検知することによって実践することができる。一部の実施形態において、スワイプアップが検知されると、値が変化する際増分的に与えられ、例えば、対話的調光、音量調整、又は他の制御形態を容易することができる。一部の実施形態において、最初の接触点と比較して、接触点が経時的に小さくなり始めたことを検知すると、スワイプアップがスワイプダウンになり、双方向調整が可能になる。
●    スワイプダウン（フリックより遅い）−これは、一部の例示的な実施形態において、指が、少なくとも３００ｍｓの間接触及び／又は少なくとも１００の距離を移動し、最初の接触点と比較して、経時的に小さくなる接触点を有することを検知することによって実践することができる。一部の実施形態において、スワイプダウンが検知されると、値が変化する際増分的に与えられ、例えば、対話的調光、音量調整、又は他の制御形態を容易することができる。一部の実施形態において、最初の接触点と比較して、接触点が経時的に大きくなり始めたことを検知すると、スワイプダウンがスワイプアップになり、双方向調整が可能になる。
●    ホールドアンドムーブアップ−これは、一部の例示的な実施形態において、最初の接触によって検知がトリガーされる、前述のスワイプアップと同様に実践することができる。
●    ホールドアンドムーブダウン−これは、一部の例示的な実施形態において、最初の接触によって検知がトリガーされる、前述のスワイプダウンと同様に実践することができる。
●    掌検知−これは、一部の例示的な実施形態において、人間の指（例えば、２０ｍｍ）に対応するには大き過ぎる幅のタッチが存在していることを検出したとき実践することができ、一部の例において、イベントが意図したものではないとして無視することができる。
【００２３】
一部の例において、マイクロコントローラは、スワイプジェスチャーと同じ方法で、ホールドアンドムーブジェスチャーを解釈することができる。ジェスチャーは、例えば、次のように照明制御アクションにマッピングすることができる。
【００２４】
【表１】
2020509509.tif 000003
【００２５】
様々な例において、マイクロコントローラ又はタッチコントローラは、電灯の調光レベルに対して０〜ｎの所定の範囲の数値を割り当てることができ、ここで０は「オフ」を示しｎは最大値を表す。調光できない、又は調光しないように構成されている電灯等の電灯のオン／オフは、一部の実施形態においてｎ＝１であるか、あるいは一部の実施形態において、無制限の調光可能電灯と同じ最大値を使用することができる。マイクロコントローラは、割り当てられた数値を電灯の出力レベルを設定するモジュールに送信することができる。様々な実施形態において、モジュールは、同じマイクロプロセッサの論理コンポーネントを含むことも、別のマイクロプロセッサを含むこともでる。
【００２６】
一部の実施形態において、最小及び／又は最大の調光値を持つように電灯を調整することができる。最大の調光値は、電灯が対話的に調光することができる最大の明るさに対応することができる。最小調光値は、電灯を調光することができる最低の明るさ「オン」値に対応することがでる（例えば、０「オフ」値からの調光レベルの上昇は、調光レベルを最小の調光レベルを設定した直後から発生して上方に調整することができ、最小レベルからの調光レベルの低下は、調光レベルを０「オフ」に設定した直後に発生する）。
【００２７】
本明細書において例示的に使用される種類のコントローラは、照明器具以外の他の装置の制御に使用することができ、一部の実施形態において、同じジェスチャーを用いてこれを達成することができる。例えば、ファンの電源のオン／オフ又は回転速度の設定、日よけ又はブラインドの上下移動、又は引き出し及び引き込み、サーモスタット等の空調システムの温度設定等が可能である。
【００２８】
図１に示す例によれば、家庭用装置コントローラ１０１は、１つ以上の電灯１１０、１１５を操作するように構成することができる。１つの例において、ユーザーが、制御溝１０２において、ジェスチャーを行うことができ、これを家庭用装置コントローラ１０１のマイクロプロセッサが解釈して、電灯１１０、１１５のオン／オフ状態及び／又は調光レベルを制御することができる。様々な例において、家庭用装置コントローラ１０１は、電灯スイッチと同じ配線を利用して、既存の電灯スイッチを置換するように構成することができる。特定の実施形態において、家庭用装置コントローラ１０１は、ジェスチャーを解釈して、有線接続１１３を使用する電灯１１５、及び／又は無線接続１１２（例えば、Ｗｉ−Ｆｉ、Ｚｉｇｂｅｅ、Ｚ−Ｗａｖｅ、又はＢｌｕｅｔｏｏｔｈ）を使用する電灯１１０（例えば、スマート電球）の電灯制御コマンドを生成することができる。
【００２９】
一部の例において、家庭用装置コントローラ１０１は、オーディオシステム、ファン、温度制御システム、又は自動制御カーテン若しくはブラインド等のスマート家庭用装置１２０に（無線又は有線で）接続することができる。マイクロプロセッサは、制御溝１０２において行われたジェスチャーを解釈して、例えば、ファンのファン速度、オーディオシステムの音量、室温、カーテン、日よけ、又はブランドの開閉又は中間状態等のオン／オフ及び調整が可能である。
【００３０】
図２は様々な実施形態による、家庭用装置コントローラの別の例を示す図である。図２において、家庭用装置コントローラパネル２０１は、スクリーン２０２と複数のタッチ制御溝２０３、２０４、２０５を備えている。家庭用装置コントローラ２００は、タッチ制御パネル２０１及び以下に説明するＡＣエレクトロニクスを更に含むことができる。家庭用装置コントローラ２００は、住宅や会社等の建物の壁に取り付けることができる。一部の実施形態において、タッチ制御パネル２０１は、スナップオン及びオフすることができる、プラスチックベゼル等の取り外し可能なベゼルを備えることができ、それによって、タッチ制御パネル２０１全体の交換を必要とせずに、色の変更等、表面の変更が可能である
タッチ制御溝２０３、２０４、２０５の構造、構成、及び／又は動作は、図１に関連して図示及び説明したタッチ制御溝１０２と同様であってよい。一部の実施形態において、複数のタッチ制御溝２０３、２０４、２０５における、複数の同時ジェスチャーを同時に解釈することができる。
【００３１】
各々のタッチ制御溝２０３、２０４、２０５に接続又は連結されているのは、対応するタッチセンサー又は一連のタッチセンサー（例えば、容量性タッチスライダー）であってよい。タッチスライダーの実施形態において、タッチスライダーは、本明細書に記載のＩ２Ｃ又はＳＰＩ等のバスを使用して接続される。
【００３２】
各々のタッチスライダーは、特定の電灯回路に関連付けることができる（例えば、家庭用装置コントローラ２００は、各々が特定のタッチスライダー、従って特定の対応するタッチ制御溝に割り当てることができる複数の出力を有することができる）。従って、タッチコントローラが、特定のタッチ制御グルーブに対応する、特定のタッチスライダーにおいてジェスチャーを検知したとき、タッチコントローラは、タッチジェスチャーに対応する一連の信号を、家庭用装置コントローラ２００のマイクロプロセッサに送信することができ、これによって、タッチスライダーと制御溝の組み合わせに対応する回路に、対応する制御コマンドを生成することができる。一部の実施形態において、かかる回路は物理回路（例えば、前述のＡＣ又はＤＣ回路）であってよい。一部の実施形態において、かかる回路は有線又は非有線の仮想回路であってよく、マイクロプロセッサは、前述のように、適用可能なネットワーク（例えば、Ｗｉ−Ｆｉ、Ｚｉｇｂｅｅ、Ｚ−Ｗａｖｅ、ＤＡＬＩ、又はＢｌｕｅｔｏｏｔｈ等）を使用して、検出されたジェスチャーに対応する制御命令を送信することができる。
【００３３】
例示的な実施形態において、ソフトウェア、スマートフォンのモバイルアプリケーション、又はサーバーが提供するウェブサイトを介して、スクリーン２０２に、ユーザーインターフェースを提供することができ、これによって、特定のタッチ制御溝を、例えば、家庭用装置コントローラ２００に接続されている物理照明回路、別の家庭用装置コントローラに接続されている物理照明回路、又はスマート電球、オーディオシステム、スマートブラインド又はカーテン、サーモスタット、ファン等のサードパーティの装置等、特定の出力にマッピングするオプションがユーザーに提供される。タッチ制御溝にマッピングする装置が選択されると、家庭用装置コントローラ２００は、通知を受けることができ、タッチ制御溝に関連付けられた識別子に装置を関連付けるマッピングをそのメモリ（例えば、フラッシュメモリ等の不揮発性メモリ）に保存することができる。その後、タッチ制御溝においてジェスチャーが検知されると、マッピングが参照されるか、又は以前に参照されたマッピング状態が所定位置となり、タッチ制御溝におけるジェスチャーによって、装置を適宜制御することができる。
【００３４】
図２に示す例において、既存の電灯スイッチパネルを置換して家庭用装置コントローラ２００を取り付けることができ、更に電灯スイッチパネルの背後の壁内に取り付けられた、ギャングボックスの既存の負荷及び電力線を利用することができる。家庭用装置コントローラ２００は、処理及びメモリリソース、並びに1つ以上のネットワーク通信プロトコルを実装した、ネットワーク通信モジュールを備えることができる。特定の態様において、タッチ制御溝の１つ以上（例えば、制御溝２０５）を、例えば、住宅コントローラに取り付けられた負荷線から直接配線を介して、有線接続２１５で、電灯要素２３５に関連付けることができる。かかる有線接続では、家庭用装置は（例えば、コントローラ及び／又は無線通信モジュールを備えた）スマート家庭用装置である必要はない。
【００３５】
様々な例によれば、スクリーン２０２は、タッチスクリーンを備えることができ、ユーザーは、スマート照明器具２３３、２３４、温度制御システム２２２、ファンコントローラ２２４、窓コントローラ２２６、又はオーディオコントローラ２２８等、任意の数の接続されているスマートホームシステム２２０を操作することができる。特定の実施形態において、ユーザーは、タッチスクリーン２０２上で、特定のスマート家庭用装置を選択し、タッチ制御溝２０３、２０４を使用して、選択したスマート家庭用装置のオン／オフ又は調整可能な特定のパラメータを調整することができる。変形例において、スクリーン２０２自体がタッチ制御溝として振る舞うことができ、ユーザーは、本明細書に記載の説明に従って、（例えば、タッチスクリーンに示されたＹ軸を、前述のタッチジェスチャーを認識する溝内の位置として使用して）ジェスチャーを入力し、選択されたスマート家庭用装置を制御することができる。かかる実施形態において、画像表示、モーションアート表示、シーンや装置等の選択可能な項目等、スクリーンに表示されている別のユーザーインターフェース要素の存在下で、ジェスチャーを認識することができる。かかる実施形態において、スクリーンにタッチされたことが検知されると、そのタッチが前述のタッチ制御ジェスチャーを含むか否かを判定することができる。もし含んでいれば、そのジェスチャーに対する適切な機能を実行することができ、含んでいなければ、タッチ情報を別の処理コンポーネントに送って、スクリーン上のユーザーインターフーイスとの対話等の解釈を行うことができる。
【００３６】
例えば、ユーザーが、タッチスクリーン２０２に表示された、選択可能メニューの温度制御システム２２２を選択すると、マイクロプロセッサがトリガーされ、室温を調整する制御コマンドとして、タッチスクリーン２０２上で行われたジェスチャーを解釈することができる。従って、タッチスクリーンにおいて、上方にタッチスクロールするジェスチャーによって、マイクロプロセッサは、部屋の温度を上昇させるコマンドを生成し、温度制御システム２２２にこれ等の温度制御コマンドを送信することができる。
【００３７】
特定の実施形態において、タッチ制御溝（例えば、制御溝２０３）が、特定のスマート家庭用装置（例えば、照明要素２３３）専用の制御溝として機能することができる。かかる実施形態において、ユーザーは、制御溝２０３においてジェスチャーを実行することができ、住宅コントローラ２００のマイクロプロセッサが、ジェスチャーを解釈し、ジェスチャーに従って、照明要素２３３に対する制御コマンドを生成し、制御コマンドを適宜照明要素２３３に送信することができる。
【００３８】
変形例において、タッチ制御溝（例えば、制御溝２０４）は、スクリーンに表示された選択可能メニューからのユーザー選択に基づいて、様々なスマートホームシステム２２０及び／又は照明要素２３３、２３４との接続を動的に変更することができるユニバーサル制御溝２０４を備えることができる。更に、特定のスマート家庭用装置のユーザー選択に基づいて、当該装置内のマイクロプロセッサが、制御溝２０４において行われたジェスチャーの解釈を適応的に変更することができる。例えば、ユーザーがタッチスクリーンで窓コントローラ２２６を選択すると、マイクロプロセッサがトリガーされ、制御溝２０４において行われたジェスチャーを、窓日よけ又はブランドを開閉するアクチュエータ又はサーボ制御コマンドとして解釈することができる。
【００３９】
別の実施形態において、タッチスクリーン２０２は、ユーザーがタッチスクリーン２０２又は特定の制御溝２０３、２０４、２０５において実行したジェスチャーに対応する、動的温度設定、調光値、ファン速度、窓日よけの設定、又は音量の表示等、動的コンテンツをグラフィカルに表示することができる。
【００４０】
図２に示す３つのタッチ制御溝２０３、２０４、２０５の利用は、純粋に例示的なものであり、本明細書に記載の同じ技術が、２、４、５、６、又はそれ以上のタッチ制御溝（及び対応するタッチスライダー）に対して実施され得ることが企図されている。
【００４１】
ハードウェア図
図３は、本明細書に記載の例示的な家庭用装置コントローラを実装することができる、コンピューティング装置を示すハードウェア図である。例えば、コンピューティング装置３００は、図１及び２に関連して図示及び説明した、家庭用装置コントローラ１００、２００とユーザーとの対話を介して実行される、ロジック及び処理を含むことができる。１つの実施形態において、コンピューティング装置３００又はホームコントローラ３００（交換可能に使用される）は、処理リソース３１０、メインメモリ３２０、読取専用メモリ（ＲＯＭ）３３０、ディスプレイ３４０、及び通信インターフェース３５０を備えている。コンピューティング装置３００は、ランダムアクセスメモリ（ＲＡＭ）又は他の動的記憶装置によって提供されるもの等、メインメモリ３２０に保存されている情報を処理し、情報及びプロセッサ３１０によって実行可能な命令を記憶する少なくとも１つのプロセッサ３１０を備えている。本明細書を通して、「マイクロコントローラ」又は「マイクロプロセッサ」は、図３に関連して図示及び説明したように、プロセッサ３１０又はプロセッサ３１０とメインメモリ３２０との組み合わせを含むことができる。様々な実施形態において、マイクロプロセッサは、汎用マイクロプロセッサ、マイクロコントローラ、協働する１つ以上のマイクロプロセッサ及び／又はマイクロコントローラの組み合わせ、及び／又は１つ以上のこれ等の処理構成を組み込むか又はそれに接続された、タッチセンサーに特化した集積回路であってよい。メインメモリ３２０は、プロセッサ３１０が実行する命令の実行中に、一時的な変数又は他の中間情報を記憶するのにも使用することができる。コンピューティング装置３００は、静的情報及びプロセッサ３１０の命令を記憶しているＲＯＭ３３０又は他の静的ストレージ装置も備えることができる。
【００４２】
通信インターフェース３５０は、コンピューティング装置３００が、１つ以上の無線ネットワークリンクを使用し、１つ以上の制御ネットワーク３８０（例えば、Ｂｌｕｅｔｏｏｔｈ、Ｚｉｇｂｅｅ、Ｗｉ−Ｆｉ等）を介して通信することを可能にする。ネットワークリンクを使用して、コンピューティング装置３００は、１つ以上の家庭用装置、１つ以上のサーバー、又はサードパーティの中間通信モジュールと通信することができる。メモリ３２０内の実行可能命令には、コンピューティング装置３００が実行し、特定の制御溝又は表示スクリーン３４０でユーザーが実行したジェスチャーを特定し、適切な家庭用装置に対する制御コマンドを適宜生成する、ジェスチャー解釈命令３２２を含むことができる。例えば、プロセッサ３１０が、ジェスチャー解釈命令３２２を実行して、制御溝に接続されたセンサー３６０及び／又はディスプレイのタッチセンサーから信号を受信し、検知されたジェスチャーに基づいて、制御コマンドを生成することができる。
【００４３】
メモリ３２０に記憶されている実行命令には、コンピューティング装置３００が実行して、通信インターフェースを様々な家庭用装置に選択的に接続して、ジェスチャー解釈命令３２２を実行したプロセッサ３１０によって生成された制御コマンドを送信する      制御接続命令３２４も含むことができる。本明細書に記載のように、コンピューティング装置３００は、有線接続を介し、１つ以上の家庭用装置３７０（例えば、照明要素）に接続することも、スマート家庭用装置に接続するための無線ネットワークプロトコルを実装して、制御ネットワーク３８０を介し、制御コマンドを送信することもできる。
【００４４】
一部の実施形態において、例えば、一方の側（例えば、住宅コントローラ３００又はＡＣコントローラ３９０）のスプリングクリップ又はポゴピンと、対応する側の導電パッドとの間に電気接続をもたらすクリップによって、住宅コントローラ３００をＡＣコントローラ３９０に連結することができる。ＡＣコントローラ３９０は、電力、負荷、ニュートラル、及び／又は接地用の壁配線への接続を有することができ、一部の実施形態において、３ウェイ構成のＬ１及びＬ２出力を有することができる。一部の実施形態において、ＡＣコントローラ３９０は、ホームコントローラ３００から命令を受信し、電界効果トランジスタ、トライアック、及び／又は、例えば、前述したような他の調光メカニズムを制御することができる、ＡＣマイクロコントローラを備えることができる。特定の例において、ＡＣコントローラ３９０は、ＡＣコントローラ３９０を既存の配線（例えば、電灯スイッチ）の電力線及び負荷線に接続する調光ＦＥＴ３９５を含むことができる。図３に示す例において、負荷線によってＡＣコントローラ３９０が、１つ以上の有線家庭用装置（例えば、電灯）に接続され、電力線によってＡＣコントローラ３９０（家庭用装置コントローラ３００）が、電源３９９に接続されている。
【００４５】
プロセッサ３１０は、ソフトウェア及び／又は他のロジックで構成され、図１、２、４、及び本願の別の場所に記載の実施形態で説明した、１つ以上のプロセス、ステップ、及び他の機能を実行する。本明細書に記載の例は、コンピューティング装置３００を使用して、本明細書に記載の技法を実行することに関連している。１つの例によれば、これ等の技法は、メインメモリ３２０に含まれている１つ以上の命令の１つ以上のシーケンスを実行しているプロセッサ３１０に応答して、コンピューティング装置３００によって実行される。かかる命令は、別の機械可読媒体からメインメモリ３２０に読み込むことができる。メインメモリ３２０に含まれている命令シーケンスを実行することによって、プロセッサ３１０が、本明細書に記載のプロセスステップを実行する。別の実施形態において、ソフトウェア命令の代わりに、又はソフトウェア命令と組み合わせて、ハードワイヤード回路を使用して、本明細書に記載の例を実現することができる。従って、本明細書に記載の例は、ハードウェア回路とソフトウェアとの如何なる特定の組み合わせにも限定されるものではない。
【００４６】
図４は、様々な実施形態による、家庭用装置コントローラを使用して、１つ以上の家庭用装置を制御する方法の例を示すフローチャートである。図４の以下の説明において、図１〜３に関連して図示及び説明したのと同様の機能ついては、同様の参照文字を参照することができる。更に、図４に関連して説明するプロセスは、図１及び２に関連して図示及び説明した制御パネル１０１、２０１を含むことができるコントローラ又は図３の例示的な家庭用装置コントローラ３００の処理リソースによって実行することができる。
【００４７】
図４において、家庭用装置コントローラのコントローラは、タッチセンサーから１つ以上の信号を受信することができる（４００）。タッチセンサーは、家庭用装置コントローラのタッチ制御溝１０２（４０２）又はタッチスクリーン２０２（４０４）に含まれるか、又は動作可能に連結することができる。様々な例において、コントローラは、家庭用装置コントローラを家庭用装置に選択的に接続することができる（４０５）。特定の態様において、接続は照明要素との有線接続（４０９）、又は本開示を通して説明しているようなスマート家庭用装置との無線接続（４０７）を含むことができる。１つの例において、信号は、スマート家庭用装置の表示メニューからのユーザー選択、及び家庭用装置コントローラのタッチスクリーン又はタッチ制御溝のいずれかにおいて実行されるジェスチャーに対応することができる。
【００４８】
受信した信号に基づいて、コントローラは、ユーザーが実行したジェスチャーを特定することができる（４１０）。本明細書に記載のように、ジェスチャーは、タップジェスチャー、スクロール若しくはスワイプジェスチャー（上下）、又はタッチホールド及びスクロールジェスチャーを含むことができる。ジェスチャーに基づいて、コントローラは、接続されている又は選択された家庭用装置に対する、制御コマンドを生成することができ（４１５）、その制御コマンドをその家庭用装置に送信する（４２０）ことができる。本明細書に記載のように、制御コマンドには、電灯の調光レベルコマンド、オーディオの音量コマンド、窓アクチュエータコマンド、温度制御コマンド、ファン速度コマンド等が含まれる。
【００４９】
本明細書に記載の例は、他の概念、アイデア、又はシステムとは無関係に、本明細書に記載の個々の要素及び概念に拡張されること、並びに例は、本願のいずれかに記載の要素の組み合わせを含むことを意図している。本明細書において、添付の図面を参照しながら例が詳細に説明されているが、当然のことながら、概念はこれ等の正確な例に限定されるものではない。従って、当業者には多くの改良及び変形が明らかであろう。従って、概念の範囲は、添付の特許請求の範囲及びその均等物によって規定されることを意図している。更に、他の機構及び例が、特定の機構に言及していなくても、個別又は例の一部として記載されている特定の機構を、別の個別に記載されている機構又は他の例の一部と組み合わせることができることを意図している。従って、組み合わせの記述がなくても、かかる組み合わせに対する権利の主張が除外されるべきものではない。
【符号の説明】
【００５０】
１００、２００  家庭用装置コントローラ
１０１、２０１  タッチ制御パネル
１０２、２０３、２０４、２０５  タッチ制御溝
１１０、１１５  電灯  
１１２  無線接続
１１３、２１５  有線接続
１２０  スマート家庭用装置
２０２  タッチスクリーン
２２０  スマートホームシステム  
２２２  温度制御システム
２２４  ファンコントローラ
２２６  窓コントローラ
２２８  オーディオコントローラ
２３３、２３４  スマート照明器具
２３５  電灯要素
３１０  プロセッサ
３２０  メインメモリ
３２２  ジェスチャー解釈命令
３２４  制御接続命令
３３０  ＲＯＭ
３４０  表示スクリーン
３５０  通信インターフェース
３６０  センサー
３７０  家庭用装置
３８０  制御ネットワーク
３９０  ＡＣコントローラ
【図１】
2020509509.tif 000004
【図２】
2020509509.tif 000005
【図３】
2020509509.tif 000006
【図４】
2020509509.tif 000007
【国際調査報告】
2020509509.tif 000008